Podtech/llm-jp-corpus-v4-ja_patent huggingface dataset:
(57)【要約】      （修正有）【課題】現代人は何かと忙しく、運動不足の人が多い。【解決手段】履き物のつま先部分２の靴底を高くして、そこを基点に履き物の踵部分３に高さ調節の出来る治具１を設け、歩きながらにしてアキレス腱４やふくらはぎ５のストレッチができるという履き物。この高さ調節のできる治具１により、足根小球部分を基点に足首の曲がり具合を任意で設定し、履き物の中で足のつま先が上がった状態を保てるようにする。【選択図】図１
0003137940.tif 000002
【実用新案登録請求の範囲】
【請求項１】
つま先部分の靴底を高くし、それを基点に履き物の踵側に高さ調節の出来る治具 を設け、足首の曲がり具合を任意で設定し、歩きながらにしてアキレス腱やふくらは ぎのストレッチができるという履き物である。
【考案の詳細な説明】
【技術分野】
【０００１】
本考案は履き物における健康器具に関する。
【背景技術】
【０００２】
従来の履き物にこのようなものは無かった。
【考案の開示】
【考案が解決しようとする課題】
【０００３】
現代人は何かと忙しく、運動不足の人が多い。
【課題を解決するための手段】
【０００４】
そこで、履き物のつま先部分の靴底を高くして、そこを基点に履き物の踵部分に  高さ調節の出来る治具を設け、歩きながらにしてアキレス腱やふくらはぎのストレ  ッチができるという履き物を考案した（図１）。この高さ調節の出来る治具により履  き物自体が足のつま先を基点に足首の曲がり具合を任意で設定し、つま先が上が  った状態を保てる様にする。
【考案の効果】
【０００５】
よって、本考案の履き物により、履くだけで常にストレッチをしている状態になる  為、日頃の運動不足が軽減される。また、踵の上がる高さは調節のできる治具に  より変えられるので、自分でアキレス腱やふくらはぎの伸ばし具合を調節すること  ができる。
【考案を実施するための最良の形態】
【０００６】
本考案に係るストレッチできる履き物２０は、図１に示すように、履き物のつま先  部分２の靴底を高くし、履き物を履いたときに足の踵部分３にあたる所に高さ調節  の出来る治具１を備えている。そして、この治具１は任意に調節できる。そして、図  ２に示すように足のつま先７が上がった状態にし、歩きながらにしてアキレス腱４  やふくらはぎ５のストレッチができるようにする。治具１の素材はプラスチックで形  成することが望ましい。
【図面の簡単な説明】
【０００７】
【図１】本考案に係るストレッチできる靴を横から見た図である。
【図２】ストレッチできる履き物を履いた時の足の状態を表した図である。
【符号の説明】
【０００８】
１  高さ調節の出来る治具
２  履き物のつま先部分
３  履き物の踵部分
４  アキレス腱
５  ふくらはぎ
６  足根小球部分
７  足のつま先
８  足の踵
１０ 足
２０ 履き物
【図１】
0003137940.tif 000003
【図２】
0003137940.tif 000004
(57)【要約】      （修正有）【課題】フラットコンベアにおけるレール本体の製造に際し、精度の要求される切削或は研磨加工をなくし、走行台板への組立作業の簡略化をはかり、且つ軽量化を計ると共に重量荷重に対する強度に優れたレール装置を提供する。【解決手段】チェーン１に運搬駒２を設け、運搬駒の両側部を一対のレール３，３上に載置して走行するフラットコンベア４において、レール本体５は、ステンレス板をプレス加工して取付凹溝６と、取付凹溝の両側に平行する凸条７を連続するよう形成してあり、取付凹溝はフレームに固定された走行台板９に取付自在とすると共に凸条の上面には樹脂レール１０を取付自在としたフラットコンベアのレール装置である。【選択図】図１
0003137927.tif 000002
【実用新案登録請求の範囲】
【請求項１】
チェーンに運搬駒を設け、該運搬駒の両側部を一対のレール上に載置して走行するフラットコンベアにおいて、レール本体は、ステンレス板をプレス加工して取付凹溝と、該取付凹溝の両側に平行する凸条を連続するよう形成してあり、取付凹溝はフレームに固定された走行台板に取付自在とすると共に凸条の上面には樹脂レールを取付自在としたフラットコンベアのレール装置。
【考案の詳細な説明】
【技術分野】
【０００１】
本考案はフラットコンベアのレール装置に関する。
【背景技術】
【０００２】
従来食品加工工場等でのボトル、缶などの移動に際して使用されるフラットコンベアのレールは、図２のように一対の厚い角棒材を均一に切削或は研磨加工をして角状レール２０，２０を作り、この角状レール２０，２０をコンベアフレームに固定の走行台板の２１上に平行に固定し、更にこの角状レール２０，２０の上に樹脂レール２２を取り付け、この樹脂レール２２の上にチェーンに固定の運搬駒２３の両側を載せ、運搬駒２３の底面が樹脂レール２２上を走行するようになっている。
ところが角棒材の切削或は研磨加工が精度を要求されるのみならず、台板への平行な組立作業が面倒であり、且つ重量の割合には重量荷重に対する強度も劣るなどの欠点を有する。
【考案の開示】
【考案が解決しようとする課題】
【０００３】
そこで本考案は、精度の要求される切削或は研磨加工をなくし、走行台板への組立作業の簡略化をはかり、且つ軽量化を計ると共に重量荷重に対する強度に優れたレール装置を提供しようとするものである。
【課題を解決するための手段】
【０００４】
チェーンに運搬駒を設け、該運搬駒の両側部を一対のレール上に載置して走行するフラットコンベアにおいて、レール本体は、ステンレス板をプレス加工して取付凹溝と、該取付凹溝の両側に平行する凸条を連続するよう形成してあり、取付凹溝はフレームに固定された走行台板に取付自在とすると共に凸条の上面には樹脂レールを取付自在としたフラットコンベアのレール装置である。
【考案の効果】
【０００５】
本考案の効果として、プレス加工によって作ることが出来るので精密で迅速な加工ができ、走行台板への組立作業も取付凹溝を固定するのみの簡単な作業ででき、且つ軽量化をができると共に重量荷重に対する強度に優れたものとなる。
【実施例】
【０００６】
本案を図１の実施例により詳記すると、チェーン１に運搬駒２を設け、該運搬駒２の両側部を一対のレール３，３上に載置して走行するフラットコンベア４において、レール本体５は、ステンレス板をプレス加工して取付凹溝６と、該取付凹溝６の両側に平行する凸条７，７を連続するよう形成してあり、取付凹溝６はフレーム８に固定された走行台板９にビス等により取付自在とすると共に凸条７，７の上面には樹脂レール１０をビス止め等により取付自在としたものである。取付凹溝６の底面には図示しない水抜き口を設けて、水やごみ等を排出できるようにしておくと良い。図中１１はリターンローラ。
【図面の簡単な説明】
【０００７】
【図１】本考案に係るレール装置の縦断説明図。
【図２】従来フラットコンベアの縦断説明図。
【符号の説明】
【０００８】
１：チェーン
２：運搬駒
３、３：レール
４：フラットコンベア
５：レール本体
６：取付凹溝
７，７：凸条
８：フレーム
９：走行台板
１０：樹脂レール
１１：リターンローラ
２０，２０：角状レール
２１：走行台板
２２：樹脂レール
２３：運搬駒
【図１】
0003137927.tif 000003
【図２】
0003137927.tif 000004
(57)【要約】      （修正有）【課題】見栄えや外観あるいは密着力を損うことがなく、しかも離脱操作性に優れる、面ファスナー利用止脱用固定帯の構造の提供。【解決手段】１個又は２個以上の切欠部１０aを有する面ファスナーＡ１０面を、固定帯２０の自由端部に取り付けた止脱用固定帯の構造。【選択図】図１
0003137953.tif 000002
【実用新案登録請求の範囲】
【請求項１】
１個又は２個以上の切欠部を有する面ファスナーＡ面を、固定帯の自由端部に取り付けたことを特徴とする止脱用固定帯の構造。
【請求項２】
前記切欠部が、固定帯の自由端部外縁に臨ませて配置されていることを特徴とする請求項１記載の止脱用固定帯の構造。
【請求項３】
前記切欠部から露出した固定帯によって離脱操作用摘み片部が形成されていることを特徴とする請求項１又は２記載の止脱用固定帯の構造。
【請求項４】
前記切欠部の間口が１０〜５０mm、かつ奥行が１０〜３０mmであることを特徴とする請求項１〜３の何れか１項記載の止脱用固定帯の構造。
【請求項５】
前記固定帯が、医療用補助具、運動具、被服、履物又はかばん類の固定帯であることを特徴とする請求項１〜４の何れか１項記載の止脱用固定帯の構造。
【請求項６】
前記固定帯が、腰痛帯又はサポーターの固定帯であることを特徴とする請求項１〜５の何れか１項記載の止脱用固定帯の構造。
【考案の詳細な説明】
【技術分野】
【０００１】
本考案は、止脱用固定帯の構造、更に詳細には離脱操作性に優れると共に、止着時の見栄えにも優れる、面ファスナー利用止脱用固定帯の構造に関する。
【背景技術】
【０００２】
面ファスナーは、着脱自在性はもとより、その簡便な操作性と止着部位の任意性の故に、腰痛帯等の医療用補助具；サポーター等の運動具；コート等の被服；靴等の履物；バック等のかばん類を初め、種々の物品の止脱用固定帯に汎用されている。
【０００３】
然るとき、図４に示す腰痛帯の如く、従来の面ファスナーＡ面１００は、その外縁１１０が腰痛帯Ｑにおける固定帯２００の自由端部外縁２１０とほぼ一致するように取り付けられていた（例えば、特許文献１参照）。
そのため、面ファスナーＡ面１００を面ファスナーＢ面（図示省略）に止着した場合、外縁部に非接合部分が生じることなく、当該自由端部全面において完全な密着状態が得られた。
【０００４】
しかしながら、当該完全な密着状態であるが故に、その接合力は意外と強固なため、当該外縁部に非接合部分が存在しないこととも相俟って、面ファスナーＡ面１００を面ファスナーＢ面から離脱せしめようとする際に、指先が当該Ａ面とＢ面間に入りにくくなっている結果、離脱操作が困難になると云う問題があり、この問題は高齢者や幼児等、指先の力が弱い者にとって看過し得ない面ファスナーの欠点となっていた。
【０００５】
そこで、離脱操作を容易にすべく、摘み用突片を固定帯の自由端部外縁に付設することも行なわれているが、当該摘み用突片が常に固定帯から突出し、外観的に見栄えが悪くなるため、殆ど実用には供されていないのが実状である。
【０００６】
また、離脱操作を容易にするために、面ファスナーＡ面の外縁と固定帯の自由端部外縁との間に一定のスペースを設けて、当該スペースに非接合部が形成されるように面ファスナーＡ面を取り付けることも考えられるが、斯かる構造では、外縁に形成された非接合部を利用して離脱操作は容易に行ない得るものの、当該非接合部が外縁全長にわたっているため、固定帯の自由端部外縁が浮き上がった状態となり、外観を損ねることはもとより、そもそも十分に密着した接合状態は得られないのが実状であった。
【特許文献１】特開平８−７１０９４号公報
【考案の開示】
【考案が解決しようとする課題】
【０００７】
本考案は上記の如き従来の問題と実状に鑑みてなされたものであり、見栄えや外観あるいは密着力を損うことがなく、しかも離脱操作性に優れる、面ファスナー利用止脱用固定帯の構造を提供することを課題とする。
【課題を解決するための手段】
【０００８】
本考案は、１個又は２個以上の切欠部を有する面ファスナーＡ面を、固定帯の自由端部に取り付けたことを特徴とする止脱用固定帯の構造により上記課題を解決したものである。
【考案の効果】
【０００９】
本考案によれば、面ファスナーＡ面に切欠部が存在しているため、止着時当該切欠部のみに面ファスナーＢ面との非接合部が形成される結果、当該非接合部を離脱操作用摘み片部として使用することにより、高齢者や幼児等、指先の力が弱い者であっても極めて容易に面ファスナーＡ面を面ファスナーＢ面から離脱することができる。
【００１０】
しかも、本考案においては部分的に非接合部が形成されるため、見栄えや外観が損われることがないと共に、固定帯の自由端部外縁まで十分に密着した接合状態が得られる。
【考案を実施するための最良の形態】
【００１１】
以下本考案の実施の形態を図面と共に説明する。
【００１２】
図１は本考案止脱用固定帯の構造を備えた腰痛帯の概略正面説明図、図２は図１のＡ−Ａ線要部拡大断面説明図である。
該図１及び２において、Ｐは腰痛帯で、面ファスナーＡ面１０が、当該腰痛帯Ｐにおける固定帯２０の自由端部に、縫着等の手段により取り付けられている。因に、腰痛帯Ｐにおけるもう一方の固定帯３０の裏面部には面ファスナーＢ面（図示省略）が形成され、固定帯２０と３０同士が着脱自在となっている。
【００１３】
面ファスナーＡ面１０は、切欠部１０ａを有し、当該切欠部１０ａは固定帯２０の自由端部外縁２１に臨ませて配置されていると共に、当該切欠部１０ａを除く面ファスナーＡ面１０の外縁１１は、固定帯２０の自由端部外縁２１とほぼ一致するように配置され、当該切欠部１０ａから露出した固定帯２０によって離脱操作用摘み片部２０ａが形成されている。
【００１４】
切欠部１０ａの大きさは、当該摘み片部２０ａが指で摘める大きさとなるように、間口
１０〜５０mm、奥行き１０〜３０mm程度とするのが好ましい。
【００１５】
切欠部１０ａの数は１個に限らず、２個以上であっても良く、またその形状も特に限定されず、例えば図３（１）〜（５）に示す如き面ファスナーＡ面１０の形態を適宜採用することができる。
【００１６】
本考案に用いられる固定帯としては、図１及び２に示した腰痛帯Ｐの固定帯２０に限らず、例えば医療補助具；運動具；被服；履物；かばん類等の面ファスナーが利用できる各種物品の固定帯が挙げられる。
【図面の簡単な説明】
【００１７】
【図１】本考案の止脱用固定帯の構造を備えた腰痛帯の概略正面説明図。
【図２】図１のＡ−Ａ線要部拡大断面説明図。
【図３】面ファスナーの形態例を示す概略正面説明図。
【図４】従来の止脱用固定帯の構造を備えた腰痛帯の概略正面説明図。
【符号の説明】
【００１８】
１０：面ファスナーＡ面
１０ａ：切欠部
１１：面ファスナーの外縁
２０：固定帯
２０ａ：離脱操作用摘み片部
２１：固定帯の外縁
Ｐ：腰痛帯
【図１】
0003137953.tif 000003
【図２】
0003137953.tif 000004
【図３】
0003137953.tif 000005
【図４】
0003137953.tif 000006
(57)【要約】【課題】重量の軽減を図り一般の人でも容易に運搬し、設置することができるとともに日曜大工センターなどで取り扱いが可能になり、石材職人や建設業者に頼ることなく一般の消費者も対応することができる擬似石材を提供すること。【解決手段】芯材１を所定の形状に形成し、該芯材１の表面にシーラー材２で下地処理を行い、その表面に装飾性塗材３で石目調の塗装を施した擬似石材Ａであって、上記芯材１を発泡材で構成したことを特徴とする。発泡材はポリスチレンフォームであるのが好ましい。【選択図】図１
0003137901.tif 000002
【実用新案登録請求の範囲】
【請求項１】
発泡材で構成した芯材を所定の形状に形成し、該芯材の表面に下地調整用プレミックスポリマーセメントモルタルを塗布し、さらにその表面に装飾性塗材で石目調の塗装を施してなることを特徴とする、擬似石材。
【請求項２】
前記発泡材がポリスチレンフォームであることを特徴とする、請求項１記載の擬似石材。
【考案の詳細な説明】
【技術分野】
【０００１】
本考案は、擬似石材、詳しくは発泡材で構成した芯材の表面に鏝で石目調の塗装を施した擬似石材に関するものである。
【背景技術】
【０００２】
従来、玄関アプローチや庭などにアクセントとして石材やコンクリート製品が様々な形状に加工されて配置されている。この石材は職人が所定の形状に仕上げ、仕上げた石材を設置場所まで運搬し、職人が指定された場所に設置するのが一般的であった。
【特許文献１】実開平０１−１７９９６６号公報
【考案の開示】
【考案が解決しようとする課題】
【０００３】
しかしながら、実際の石材は重量もあり、特許文献１のように加工には道具や技術が必要であるため、一般の人には石材を自分で購入して自分で加工して所定の場所に設置することは難しく、簡単に玄関アプローチや庭などに設置することは非常に困難であった。
【０００４】
本考案は、上記問題点を解決し、軽量で、切断加工も容易であり、さらに一般人でも容易に運搬し、設置することができるとともに日曜大工センターなどで取り扱いが可能になり、石材職人や建設業者以外の一般の消費者も対応することができる擬似石材を提供することを課題とする。
【課題を解決するための手段】
【０００５】
前記課題を解決するために本考案に係る擬似石材は、発泡材で構成した芯材を所定の形状に形成し、該芯材の表面に下地調整用プレミックスポリマーセメントモルタルを塗布し、さらにその表面に装飾性塗材で石目調の塗装を施してなることを特徴とする。
【０００６】
なお、前記発泡材はポリスチレンフォームであるのが好ましい。
【考案の効果】
【０００７】
請求項１の考案に係る擬似石材によれば、発泡材で構成した芯材を所定の形状に形成し、該芯材の表面に下地調整用プレミックスポリマーセメントモルタルを塗布し、さらにその表面に装飾性塗材で石目調の塗装を施してなるので、軽量で、加工も容易であり、さらに一般人でも容易に運搬し、設置することができる。また、日曜大工センターなどで取り扱いが可能になり、石材職人や建設業者以外の一般の消費者も対応することができる。さらに、最後の塗装工程を職人の手で行うことにより、擬似石材は１つずつ風合いが異なり、画一的ではなくなるので、趣のある擬似石材を実現することができる。
【０００８】
請求項２の考案に係る擬似石材によれば、芯材をポリスチレンフォームで構成したので、安価で入手しやすい。
【考案を実施するための最良の形態】
【０００９】
図１（ａ）は本考案に係る擬似石材Ａの一例を示し、この擬似石材Ａは角柱状に形成され、表面が石目調に形成されているものである。
【００１０】
この擬似石材Ａは、図１（ｂ）の上部を切断した斜視図に示すように、角柱状に形成された芯材１の表面に、塗材の密着性向上のためシーラー処理を行い、その上から石目調の塗装を行なったもので、本考案では芯材１として発泡材（ポリスチレンフォーム等）を角柱状に形成し、粉体と接着強化液を練り混ぜて形成した下地調整用プレミックスポリマーセメントモルタル（本考案では、株式会社マノール製の「マノールカチオンセット」を使用）２を芯材１の表面に塗り付け、その上から装飾性塗材（本考案では、アイカ工業株式会社製の「ジョリパット」）３をローラーやスプレイ、鏝等を使って手作業で塗布し、表面を石目調に形成したものである。
【００１１】
なお、プレミックスポリマーセメントモルタル２を塗布することにより、芯材１の表面が硬化する。その上にさらに下地材としてシーラー材を塗布してもよい。
【００１２】
上記構成の擬似石材Ａの表面には装飾性塗材３が塗布されて石目調に形成され、その外観は本物の石材と同じ様相であるが、本物にはない柔らかい色合いと風合いを有しているとともに、住宅等の外壁と違和感なくマッチするものであるが、芯材１には発泡材が使用されているので、全体の重量は同じ形状の石材に比較して大きく軽減され、持ち運びは一般の人でも容易に行なうことができる。しかも、切断も容易に行なうことができるため設置場所に応じて余長は切除することが可能になり、現場に設置した状態で柔軟に対応することが可能になる。
【００１３】
図２は上述の擬似石材Ａを玄関アプローチにオーナメントとして設置したものであり、長さの異なる３本の擬似石材Ａを組み合わせてモニュメントを形成したもので、一般の人であっても容易に設置できるようにしたものである。
【００１４】
上述の擬似石材Ａであれば、日曜大工センターなどでも商品として取り扱うことが可能になり、一般の人も手軽に購入し、購入した人自身で手軽に運搬し、手軽に設置することができ、玄関周りや庭などにオーナメント、オブジェあるいはモニュメントとして設置することにより購入者の希望を反映させた設置を行なうことができる。
【００１５】
なお、上述の擬似石材Ａは角柱状の芯材１を基本として形成しているが、この芯材１の形状は角柱状に限定されるものではなく、円柱状や板状であってもよいし、庭石のように丸い形状であっても構わない。
【図面の簡単な説明】
【００１６】
【図１】（ａ）（ｂ）は本考案に係る擬似石材の一例を説明する斜視図及び上部を切断した状態の拡大斜視図
【図２】上記擬似石材の設置状態を説明する斜視図
【符号の説明】
【００１７】
１    芯材
２    プレミックスポリマーセメントモルタル
３    装飾性塗材
Ａ    擬似石材
【図１】
0003137901.tif 000003
【図２】
0003137901.tif 000004
(57)【要約】      （修正有）【課題】切り離し性に優れ、食材を損ねずに切断作業性ができるように改善し、衛生面にも配慮した包丁を提供する。【解決手段】包丁は、複数の幅狭く切り込みの深い細長い溝形状の凹部４を刃先５に対して傾斜を付して刃板面上に設けるとともに、その凹部の縁の面取りを行うことで食材と刃板面の間に空隙を作り切り離れ性を良くし、凹部の構造が簡素なことから洗浄し易く衛生面にも配慮している。【選択図】図１
0003137994.tif 000002
【実用新案登録請求の範囲】
【請求項１】
柄部と刃板部を有する包丁であって、刃板面に複数の幅狭く切り込みの深い溝形状の凹部を刃先に対して傾斜をもって設けることを特徴とする包丁
【考案の詳細な説明】
【技術分野】
【０００１】
本考案は、一般家庭および業務用に使用される包丁にあって、刃先に対して傾斜をもって、幅狭く切り込みの深い溝形状の凹部を複数設けることで、薄物の切り出しと切り離れ性を改善するものである。
【背景技術】
【０００２】
調理の際、包丁は食材を切断するために使用されるが、水分を多く含む食材や柔らかな食材を切断すると、往々にして刃板面に切断した食材が密着し、切断作業性を低下させるとともに、食材を損なうことがあり、衛生面でも問題があった。
【０００３】
この問題を解決すべく、刃板面にビニール製粘着テープを貼ったもの（特許文献１）、刀身本体に通孔を設けて表面に凹凸を有する合成樹脂板を付したもの（特許文献２）、マグネット部材を張り合わせたプラスチックを刃板面に密着させたもの（特許文献３），長方形の板を包丁の背部に挟むもの（特許文献４）、背部に湾曲部を両側面に備えたもの（特許文献５）、刃板面に刃先と垂直方向に二種類の凹部を交互に設けたもの（特許文献６）、刃板面をエッチング、レーザーないしは放電加工して突起物を残して掘り下げたもの（特許文献７）などがある。
【０００４】
【特許文献１】特開２００１−１０４６６３
【特許文献２】特開２００１−２９３２６６
【特許文献３】特開２００２−９７０
【特許文献４】特開２００５−２１５３７
【特許文献５】特開２００５−１９８９７２
【特許文献６】特開２００６−２５９２８
【特許文献７】特開２００６−２８０９０９
【考案の開示】
【考案が解決しようとする課題】
【０００５】
包丁の切れ離れ性を改良する方法として、従来からいくつかの試みがなされては来たが実効性、衛生面、生産コストなどで、満足すべきものがなかった。
【０００６】
刃板部にビニール製粘着テープを貼ったものは、切断した食材の切断面を傷付け、また食材の切断面から削られた断片がビニールテープの端に付着し易く、衛生面でも問題を残している。
【０００７】
刃板面に通孔を設けて、表面に凹凸を有する合成樹脂板を密着させたものは、合成樹脂板と刃板面の接合部が包丁の切断作業性を阻害するとともに、樹脂板表面の凹凸面及び刃板面と樹脂板の接点に食材の滓が滞留しやすく衛生面に問題を残す。
【０００８】
ガイド部材をマグネットで刃板面に取り付けたものは、ガイド部材と刃板面との間隙に食材の切り滓が入り込み衛生上好ましくない。また使用中にガイド部材がずれたり、外れたりする不具合がある。
【０００９】
プラスチック製の長方形の板をクリップで包丁の背の部分に取り付けたものは、使用中にずれたり、外れたりし易く長時間の使用には耐えない。
【００１０】
背部に湾曲部を設けたものは、刃板面は薄厚であるために切り離れ性が悪く、また背部が一気に湾曲しているために、柔らかな食材は崩れて形を損ねるなどの不具合がある。
【００１１】
刃板面に大小の凹部を刃先に対して垂直方向に設けたものは、食材が刃板面に沿って移動する際に、凹部に接しない部分は刃先から背部まで刃板面に接したままで移動するために、折角凹部で刃板面から離れた部分もこれに引きずられように再び刃板面と接することとなり、良好な切り離れ性は期待できない。また、切り離れ性を改善するために凹部を拡げるならば、包丁の強度の大幅な低下を招きかねない。
【００１２】
エッチング加工等で刃板面に凹凸を施したものは、食材の切り離れ性の改善は期待できそうだが、凹部に食材滓が滞留し易く、調理中の切り離れ性が低下し易いばかりでなく、衛生上も望ましくない。
【００１３】
そこで、本考案は従来の方法の利点と不具合を見出し、これらをもとに切り離し性に優れ、食材を損ねずに切断作業性を改善し、衛生面にも配慮した包丁を提供することを目的とするものである。
【００１４】
本考案の上記ならびにその他の目的と新規な特徴は、以下の説明を添付図面と照らし合わせて読むと、より完全に明らかになる。
但し、図面はもっぱら解説のためのものであって、本考案の記述範囲を限定するものではない。
【課題を解決するための手段】
【００１５】
上記課題を解決するために、本考案は、複数の幅狭く切り込みの深い細長い溝形状の凹部を刃先に対して傾斜を付して刃板面上に設けるとともに、その凹部の縁の面取りを行ったものである。
【考案の効果】
【００１６】
本考案は前述のように構成してあり、ガイド部材等を装着したりエッチング加工等で刃板面に細かいな凹部を設けることがないために使用中に発生が予想されるガイド部材等の移動、はがれ、破損、食材滓の残存等による衛生面、作業性の低下等の問題がなく、単一形状の凹部形成のみであるために加工は容易であり量産性に優れ、凹部の構造は単純であり洗浄し易く衛生面でも優れ、凹部を刃先に対して傾斜を持たせて設けたことおよび凹部の長さを必要に止める事により刃板の強度低下を抑え、十分に使用に耐え得る包丁となる。
【考案を実施するための最良の形態】
【００１７】
本考案の実施形態を、図面に基づいて本考案の作用を示して簡単に説明する。
【００１８】
刃先部５において切断された食材が刃板面２に沿って背部３の方に移動する際に、凹部４を横切ることにより切断された食材と刀板面２の間に十分な空気が入り込んで空隙層が形成されて切り離れが起こり、これが複数回繰り返されることにより一段と切り離れがよくなる。
【図面の簡単な説明】
【００１９】
【図１】本考案の一実施例の凹部の配置状態を示した図
【図２】本考案の一実施例の刃板部の一縦断面拡大図
【符号の説明】
【００２０】
１    柄部
２    刃板部
３    背部
４    凹部
５    刃先
【図１】
0003137994.tif 000003
【図２】
0003137994.tif 000004
(57)【要約】      （修正有）【課題】切り離し性に優れ、食材を損ねずに切断作業性ができるように改善し、衛生面にも配慮した包丁を提供する。【解決手段】包丁は、複数の幅狭く細長い桟状の凸部を刃先に対して垂直ないしは傾斜を付して刃板面上に設け、その凸部の縁の面取りを行うことで食材と刃板面の間に空隙を作り、切り離れ性を改善するとともに、凸部の構造が簡素なことから洗浄し易く衛生面にも配慮している。【選択図】図１
0003137998.tif 000002
【実用新案登録請求の範囲】
【請求項１】
柄部と刃板部を有する包丁であって、刃板面に複数の幅狭く細長い桟状の凸部を刃先に対して垂直ないしは傾斜をもって設けることを特徴とする包丁
【考案の詳細な説明】
【技術分野】
【０００１】
本考案は、一般家庭および業務用に使用される包丁にあって、刃先に対して垂直ないしは傾斜をもって、幅狭く細長い桟状の凸部を複数設けることで、薄物の切り出しと切り離れ性を改善するものである。
【背景技術】
【０００２】
調理の際、包丁は食材を切断するために使用されるが、水分を多く含む食材や柔らかな食材を切断すると、往々にして刃板面に切断した食材が密着し、切断作業性を低下させるとともに、食材を損なうことがあり、衛生面でも問題があった。
【０００３】
この問題を解決すべく、刃板面に種々のガイド部材を粘着テープ、マグネットないしはフック等で装着したものがあるが、これらは刃板面と部材との接合部に食材滓が残ると言う衛生面での問題とともに、容易に部材が欠けたり外れたりする問題がある。
【０００４】
また、ガイド部材を装着せずに、刃板面に刃先と垂直方向に二種類の凹部を交互に設けたり、刃板面をエッチング、レーザーないしは放電加工して突起物を残して掘り下げたものがある（例えば、特許文献１参照）が、凹凸部に食材の切れ滓が滞留し易く、また包丁と言う比較的薄物に溝を施すために強度低下が問題となる。
【特許文献１】特開２００６−２８０９０９
【考案の開示】
【考案が解決しようとする課題】
【０００５】
前述のように、包丁の切れ離れ性を改良する方法として、従来からいくつかの試みがなされては来たが実効性、衛生面、生産コストなどで、満足すべきものがなかった。
【０００６】
本考案は、従来の従来の方法の利点と不具合を見出し、これらをもとに、切り離し性に優れ、食材を損ねずに切断性を改善し、衛生面にも配慮した包丁を提供することを目的とするものである。
【０００７】
なお、本考案の上記ならびにその他の目的と新規な特徴は、以下の説明を添付図面と照らし合わせて読むと、より完全に明らかになる。
但し、図面はもっぱら解説のためのものであって、本考案の記述範囲を限定するものではない。  
【課題を解決するための手段】
【０００８】
上記課題を解決するために、本考案は、複数の幅狭く細長い桟状の凸部を刃先に対して垂直ないしは傾斜を付して刃板面上に設けるとともに、その凸部の縁の面取りを行うものである。
【考案の効果】
【０００９】
本考案は前述のように構成してあり、ガイド部材等を装着したりエッチング加工等で刃板面に細かいな凹部を設けることがないために使用中に発生が予想されるガイド部材等の移動、はがれ、破損、食材滓の残存等による衛生面、作業性の低下等の問題がなく、単一形状の凸部形成のみであるために加工は容易であり量産性に優れ、凸部の構造は単純であり洗浄し易く衛生面でも優れ、凸部を刃先に対して垂直ないしは傾斜を持たせて設けたことおよび凸部の長さを必要に止める事により刃板部の重量増加を最小限に止めることにより、使用に耐え得る包丁となる。
【考案を実施するための最良の形態】
【００１０】
本考案の実施形態を、図面に基づいて本考案の作用を示して簡単に説明する。
【００１１】
刃先部５において切断された食材が刃板面２に沿って背部３の方に移動する際に、凸部４を横切ることにより切断された食材と刃板面２の間に十分な空気が入り込んで空隙層が形成されて切り離れが起こり、これが維持されることで、食材滓の蓄積も起こらず、切断作業性の改善も大きい。
【図面の簡単な説明】
【００１２】
【図１】本考案の一実施例の凹部の配置状態を示した図
【図２】本考案の一実施例の刃板部の一縦断面拡大図
【図３】本考案の一実施例の刃板部の一横断面拡大図
【符号の説明】
【００１３】
１    柄部
２    刃板部
３    背部
４    凸部
５    刃先
【図１】
0003137998.tif 000003
【図２】
0003137998.tif 000004
【図３】
0003137998.tif 000005
(57)【要約】      （修正有）【課題】模擬ゴルフボールに柄を付け、柄の他端を中心に回転するゴルフ打撃練習器具において、模擬ゴルフボール中心高さにゴルフクラブヘッド中心高さが合って、適正な打撃をしているかを点検できるようにする。【解決手段】被打撃体１である模擬ゴルフボール部はゴルフクラブヘッドが上又は下方にずれて打撃すると、上又は下方へ傾くように打撃部を湾曲状形状に変える。柄部２は反打撃側に回転できる角度指示板６を付けた角度指示台５を付ける。角度指示板は慣性効果により打撃時の急激な被打撃体の傾きと連動する柄のねじ角度を捕らえる。この角度を見取ることで打撃高さを点検でき精確な打撃練習に効果がある。【選択図】図１
0003137941.tif 000002
【実用新案登録請求の範囲】
【請求項１】
模擬ゴルフボールに柄を付け、柄の他端を中心に回転するようにしたゴルフ打撃練習器具において、被打撃体である模擬ゴルフボール部は形状を変えて打撃面側の上下部が凸、中央が凹の湾曲状形状にし、柄部は反打撃側で被打撃体に近い部に柄の長て方向に平行な軸を持つ角度指示台を付け、その軸に慣性効果の大きい角度指示板を適当な力で回転できるように半固定でつけることを特徴とする打撃高さ点検機能を備えたゴルフ打撃練習器具
【考案の詳細な説明】
【技術分野】
【０００１】
本考案はゴルフ打撃練習器具に関するものである。
【背景技術】
【０００２】
ゴルフ打撃練習器具には模擬ゴルフボールに柄を付け、柄の他端を中心に回転するようにしたものがある。
【考案の開示】
【考案が解決しようとする課題】
【０００３】
上述の器具は模擬ゴルフボール中心高さにゴルフクラブヘッド中心高さが合って適正に打撃しているか解りにくい。そこで、適正な打撃をしているか点検できるようにすることが課題である。
【課題を解決するための手段】
【０００４】
模擬ゴルフボールに柄を付け、柄の他端を中心に回転するようにしたゴルフ打撃練習器具において、被打撃体である模擬ゴルフボール部は被打撃部分の形状を変えて上下部が凸、中央が凹の湾曲状形状にし、柄部は反打撃側で被打撃体に近い部に柄の長て方向に平行な軸を持つ角度指示台を付け、その軸に慣性効果の大きい角度指示板を適当な力で回転できるように半固定でつける。
【０００５】
被打撃体は被打撃部分を湾曲状形状にすることで、ゴルフクラブヘッドが被打撃体に対し上又は下方にずれて打撃すると被打撃体は上又は下方へ傾かされ、ずれ量が大きいほどその傾きは大きくなる。
【０００６】
柄部に付けた角度指示台は被打撃体の傾きと連動して傾くが、角度指示板は強い力では回転するが弱い力では回転しない半固定のため打撃による急激な傾きの変化時には慣性効果で打撃前の姿勢を保持する、このため打撃後に角度指示台に対する角度指示板の傾きを見取ってゴルフクラブヘッドが被打撃板中心高さより上又は下方を打撃したかを把握できる。
【考案の効果】
【０００７】
本考案のゴルフ打撃練習器具はゴルフクラブヘッドが被衝撃板の中心又は上下にずれた状態で打撃しているかを把握でき、精確な打撃練習に効果がある。
【考案を実施するための最良の形態】
【０００８】
添付図面において、被打撃体１は柄２の一端に、柄２の他端には柄回転軸３を付け、柄回転軸３は支持台４で支持する。被打撃体１は衝撃に強くゴルフクラブヘッドを傷つけない弾性材を使う。被打撃体１の打撃面の表面はゴルフクラブヘッド打撃時に加わる上下左右への力を軽減できるようにすべりシート10を貼る。柄２はゴルフクラブヘッド11が当たりやすいことや被打撃体の傾きに連動してねじられるように弾性材を使う。角度指示台５は柄２の反打撃側に留めねじ９で留める。角度指示台５は軽量で強固な材料を使う。角度指示板６、弾性リング７は角度指示台５に軸兼用ねじ８で留める。弾性リング７は角度指示板６を角度指示台５に一定圧で留めるため用いる。角度指示板６は角度指示台５の急激な傾きの変化では連動しないよう慣性効果の大きい材料を使う。
【図面の簡単な説明】
【０００９】
【図１】本考案器具の正面図を示す。
【図２】本考案器具の被打撃体付近の上面図を示す。
【図３】本考案器具の被打撃体付近の右側面図を示す。
【図４】本考案器具の被打撃体中心より上側にずれてゴルフクラブヘッドが打撃時に被打撃体が傾き、角度指示板は打撃前の姿勢を保っている状態の右側面図を示す。
【符号の説明】
【００１０】
１  被打撃体
２  柄
３  柄回転軸
４  支持台
５  角度指示台
６  角度指示板
７  弾性リング
８  軸兼用ねじ
９  留めねじ
10  すべりシート
11  ゴルフクラブヘッド
【図１】
0003137941.tif 000003
【図２】
0003137941.tif 000004
【図３】
0003137941.tif 000005
【図４】
0003137941.tif 000006
(57)【要約】      （修正有）【課題】布製あるいは紙製の繊維で形成され、室内、車内等の気になる臭いのそばに置いておくだけで、いやな臭いの消え、また、見た目にもかわいい形状の消臭具を提供する。【解決手段】ピートモス、ゼオライト、有用微生物等を主成分とする粉状の消臭材１を、通気性を有する袋２に充填し、該消臭材を充填した袋２を、包み布３を介して、巾着状に形成した外袋４に収納した消臭具から構成される。【選択図】図２
0003137974.tif 000002
【実用新案登録請求の範囲】
【請求項１】
ピートモス、ゼオライト、有用微生物等を主成分とする粉状の消臭材（１）を、通気性を有する袋（２）に充填し、該消臭材を充填した袋（２）を、包み布（３）を介して、巾着状に形成した外袋（４）に収納したことを特徴とする消臭具。
【考案の詳細な説明】
【技術分野】
【０００１】
この考案は、消臭具に関する。
【背景技術】
【０００２】
従来、一般家庭では、各家庭ともそれぞれその家独特の臭いがするものであり、特に、一戸建てよりも密室度の高いマンション・アパートに多く、また、車内等は、特に、臭いがするものである。
【０００３】
そして、室内でも、特に、トイレ、キッチン、下駄箱、クローゼット、押入れ等において、いやな臭いが立ち込め、タバコなどの他の臭いとミックスして、さらにいやな臭いとなっている。
【考案の開示】
【考案が解決しようとする課題】
【０００４】
そこで、この考案は、布製あるいは紙製の繊維で形成され、気になる臭いのそばに置いておくだけで、いやな臭いの消え、また、見た目にもかわいい形状の消臭具を開発・提供することにある。
【課題を解決するための手段】
【０００５】
この考案による課題を解決するための手段としては、室内、車内等の気になる臭いのそばに簡単に置いておけ、しかも、違和感もない便利な消臭具である。
【考案の効果】
【０００６】
この考案によると、巾着状の袋を利用して、内部に消臭材を装着しており、室内のいやな臭いを防止でき、快適な生活ができ、また、効果が薄れたらプランターなどの土、１４リットルに対して大さじ２杯分の割合で上から振りかけることにより、バイオの効果を発揮できる極めて有益なる効果を奏するものである。
【考案を実施するための最良の形態】
【０００７】
以下、この考案の好適な実施の形態について、巾着袋とせずに、両側が開いた巾着状に形成した外袋に、包み布を介して、消臭材を設けて消臭具としたものである。
【実施例】
【０００８】
この考案の一実施例を図面に基づいて詳細に説明すると、ピートモス、ゼオライト、有用微生物等を主成分とする粉状の消臭材（１）を、通気性を有する袋（２）に充填し、該消臭材を充填した袋（２）を、包み布（３）を介して、巾着状に形成した外袋（４）に収納したことを特徴とする消臭具から構成される。
【０００９】
そして、消臭材（１）の成分は、ピートモス、ゼオライト、有用微生物等であり、天然素材であり、消臭効果が薄まれば、プランターや土に撒けば自然に戻る性質のものであり、安全である。
【００１０】
また、図２では、この考案の開封配置状態を示したが、これを一点鎖線（Ｘ）から内側に二つ折りして端部付近をゴム・紐等の結束具（Ｙ）で縛り、造花等の装飾物（Ｚ）をあしらい、図１のように巾着状に形成したものである。
【００１１】
また、外袋（４）は、二枚のシートで巾着状に形成したものであり、見た目に可愛らしく、家具等に置いておいても邪魔にならないし、横が開封されているため内部の消臭材が外部に触れやすく効果が高い。
【産業上の利用可能性】
【００１２】
この考案の消臭具の技術を確立し、実施・販売することにより、産業上利用できるものである。
【図面の簡単な説明】
【００１３】
【図１】この考案の一実施例を示す斜視図である。
【図２】この考案の内部を開いた状態の一実施例を示す正面図である。
【符号の説明】
【００１４】
１  消臭材
２  通気性を有する袋
３  包み布
４  外袋
Ｘ  一点鎖線
Ｙ  結束具
Ｚ  装飾物
【図１】
0003137974.tif 000003
【図２】
0003137974.tif 000004
(57)【要約】【課題】主に着座時および横臥時において背部、臀部、大腿部、下腿部のつぼを個々人の好みで押圧でき、筋肉の緊張を軽減、血行を良くし、かつ職場や車内に持ち込んでも違和感のない健康器具らしくない自然な製品を提供することである。【解決手段】ゴム製の芯材の大きい球体１個とその延長上に小さい球体２個を連ねたものが２列配置され、芯材と芯材との隙間に仕切りを作り、伸びない生地で芯材を固定し球体の位置を正確に配置し、周りを不織布で覆う構成とする。【選択図】図１
0003138141.tif 000002
【実用新案登録請求の範囲】
【請求項１】
球体のゴム素材を芯材とし、芯材と芯材との隙間に仕切りを作り球体の位置を正確に配置したつぼ押しクッション。
【請求項２】
芯材の位置の固定は伸びない生地で芯材を覆い、その周りは不織布に包まれていることを特徴とする請求項１に記載のつぼ押しクッション。
【請求項３】
芯材であるゴム製の球体は大きい球体１個とその延長上に小さい球体２個を連ねたものが２列配置され、大きい球体と小さい球体がつぼへの押圧に強弱を持つように構成された請求項１に記載のつぼ押しクッション。
【考案の詳細な説明】
【技術分野】
【０００１】
本考案は、身体のつぼに当てることで決行を良くする健康器具で、かつ形状をクッションにしたものである。
【背景技術】
【０００２】
現代人は長時間同じ姿勢を保ち血行の悪さで体のむくみ、肩こりを感じる機械が多いが、その反面仕事場で体操などの体をほぐす時間をとることは難しく、血流が滞ることにより筋肉の緊張、眠気などを引き起こし倦怠感を感じる。
【０００３】
従来、つぼ押しのための器具は形状がいかにも健康器具らしく、飾り気及びかわいらしさのないものであった。女性において顕著に言えることだが、飾り気及びかわいらしさのない健康器具をオフィスに持ち込み使用することに抵抗があるという問題点があった。
【非特許文献１】芹澤勝助著  「ツボ療法大図鑑」リヨン社  １９９５年
【非特許文献２】趙耀輝著  「中国秘伝  真気八式ツボ」新星出版社  ２００３年
【考案の開示】
【考案が解決しようとする課題】
【０００４】
本考案の課題は、上述した問題点を解決するため、主に着座時または仰向け時につぼを押圧することで筋肉の緊張を軽減しながら、かつ見た目もスマートにした製品を提供することである。
【課題を解決するための手段】
【０００５】
本考案は、上述した課題を解決するため、ゴム製の大きい球体である芯材１個とその延長線上に小さい球体である芯材２個を２列に連ね各球体が臀部のつぼを押圧するよう配置し、かつ身体への圧力を個々人が調節できるつぼ押しクッション。
【考案の効果】
【０００６】
長時間同じ姿勢で作業することは血行が悪くなり身体に悪影響を及ぼす。
【０００７】
上述を解決しようとすると職場で体をほぐすための体操などを実行しなければならないが場所、時間、職場環境を考慮すると容易にはできない。
【０００８】
本考案におけるクッションの芯材であるゴム製の球体は臀部や足、背中、肩のつぼをほどよく押圧し刺激することで滞っていた血流が改善される。
【０００９】
本考案の形状を職場によくあるクッションの形態にすることで見た目にも違和感がない。
【００１０】
さらに、ゴム製の球体の位置は布であるクッションのため自由に位置を変化させられ、個々人の気持ちが良いと感じる位置に動かすことができる。
【００１１】
なおかつ、外側のカバーを変えることにより、デザインを楽しむ効果がある。
【考案を実施するための最良の形態】
【００１２】
本考案はゴム製の大小の球体である芯材とそれを固定する伸びない生地と、それらを包む不織布からなり、大きい球体２個と小さい球体４個が程よい刺激を与えるよう構成されている。
【実施例】
【００１３】
図１は本考案からなるつぼ押しクッションの図である。
【図面の簡単な説明】
【００１４】
【図１】考案品の内部配置図
【図２】考案品の横断面図
【図３】考案品の装着実例図
【符号の説明】
【００１５】
１    球体小
２    球体大
３    クッション本体
４    球体を固定するための仕切り部
５    非伸縮性の生地
６    不織布
７    考案品をイス着座時に背に当てる実例
８    考案品をイス着座時に臀部および大腿部に敷いた実例
【図１】
0003138141.tif 000003
【図２】
0003138141.tif 000004
【図３】
0003138141.tif 000005
(57)【要約】      （修正有）【課題】ナットの脱落防止と過度のナットの締め付けによるボルトの損傷の防止割りピンの穴の劣化の防止【解決手段】ボディボルトとヘッドボルトの先端を２〜３ミリ半月状に削りヘッドボルトの回転を止める。その後ナットを装着しヘッドボルトの穴にピンを差し込む。【選択図】図１
0003138183.tif 000002
【実用新案登録請求の範囲】
【請求項１】
既設のボルト（以下ボディボルト）と接続するボルト（以下ヘッドボルト）の形状
−図面参照−
【請求項２】
緩み防止の技術
イ、ヘッドボルトの長さを変えることにより、割りピンの穴の位置を変えることが出来るヘッドボルト
ロ、割りピンの穴が劣化した場合新しいヘッドボルトに交換ができるヘッドボルト
【考案の詳細な説明】
【技術分野】
【０００１】ボディボルトとヘッドボルトの接続技術と緩み防止技術
【背景技術】
【０００２】ヘッドボルトの先端に割りピンの穴を開けたヘッドボルト
【考案の開示】
【考案が解決しようとする課題】
【０００３】今までの割りピンの役割はナットの脱落防止であったが、ヘッドボルトを使用することにより、従来の割りピンの穴は固定されていたがヘッドボルトを使用すると割りピンの穴の位置を自由に調節できるので緩み防止と脱落防止が出来る。
【課題を解決する為の手段】
【０００４】ナットの長さと接合されたボルトの割りピンの穴がのぞく所までの長さを同じにして穴にピンを差し込む。実際にはバネ座金の厚みを考慮する。
【考案の効果】
【０００５】ナットの脱落による事故の防止
【考案の実施するための最良の形態】
【０００６】ボディボルトとヘッドボルトの先端を２〜３ミリ半月状に削りヘッドボルトの回転を止める。その後ナットを装着しヘッドボルトの穴にピンを差し込む。
【実施例】
【０００７】飛行機、自動車のタイヤの装着に使うボルト
また振動の激しい機械の固定に使用するボルト
【産業上の利用可能性】
【０００８】振動の激し機械のナットの脱落防止
【図面の簡単な説明】
【０００９】
【図１】ボディーボルトとヘッドボルトの形状
【図２】ボディーボルトとヘッドボルトの接合の状態
【図３】接合したボルトにナットをはめこんだ状態と割りピンをさした状態
【図１】
0003138183.tif 000003
【図２】
0003138183.tif 000004
【図３】
0003138183.tif 000005
【手続補正書】
【提出日】平成19年7月17日(2007.7.17)
【手続補正１】
【補正対象書類名】実用新案登録請求の範囲
【補正対象項目名】全文
【補正方法】変更
【補正の内容】
【実用新案登録請求の範囲】
【請求項１】
既設のボルト（以下ボディボルト）に接続するボルト（以下ヘッドボルト）によるナット緩み防止装置
技術的には、双方のボルトを削りそれを合わせることによりヘッドボルトの回転を押さえ、ヘッドボルトのピン穴にピンを差し込みナットの緩みを防止する。
【手続補正書】
【提出日】平成19年9月25日(2007.9.25)
【手続補正１】
【補正対象書類名】実用新案登録請求の範囲
【補正対象項目名】全文
【補正方法】変更
【補正の内容】
【実用新案登録請求の範囲】
【請求項１】
ボディボルトと、該ボディボルトに接続するヘッドボルトと、からなるナット緩み防止装置で、全てのボルトにナットの緩みを防止出来ることを特徴とするナット緩み防止装置。
技術てきには、ヘッドボルトにピン穴をドライバドリルを使用して開ける。
開ける場所は、締めたナットの先端とする。その穴にピンを差し込みナットの回転を防止し、ナットの緩みを防止するナット緩み防止装置。
(57)【要約】      （修正有）【課題】任意の絵柄を印刷されたクリアホルダーと、それに付属した印刷された絵柄と関連性のある絵柄、または形状を有する付録部分を持つクリアホルダーであり、印刷により宣伝広告効果を得ることが出来るノベルティーとしての機能を付録部分で補足することができる。【解決手段】クリアホルダーに抜き加工の際に入れたミシン目２によって付けたふろく部Ｓを設けることと、そのふろく部にクリアホルダーＦに施された印刷内容と関連性の深い絵柄、または形状に加工することで宣伝、広告効果を強化することが出来る。且つクリアホルダーに付属するふろく部はクリアホルダーに施された印刷内容に関連してあらかじめトムソン加工され折り筋、切り込み加工を施した場合には、商品として作成する工程を容易にすることができる。【選択図】図１
0003138189.tif 000002
【実用新案登録請求の範囲】
【請求項１】
クリアホルダーの一辺に、クリアホルダー本体と同じ素材でミシン目加工を施すことで本体と繋がっている付録部分を設け、その付録部分に抜きまたは折りの加工の組み合わせを施すことによりクリアホルダーに印刷によって施された任意の絵柄、広告内容を補足する機能を持つふろく付きクリアホルダー
【請求項２】
前記の仕様でクリアホルダーの一辺に付いた切り取れる付録部分は、クリアホルダー本体に印刷によって施された絵柄と関連性の深い任意の形状を有し、付録部分の面積も本体の絵柄との関連性により変動するふろく付きクリアホルダー。
【考案の詳細な説明】
【技術分野】
【０００１】  本考案は主として、フイルムシート材料に対して多目的に使用できる利便性の高いノベルティー商品に関するものである。
【背景技術】
【０００２】  従来のクリアホルダーは、クリアホルダーとしてだけの使用方法しかなく、販促効果を高めるためには、別途ＰＯＰ等を付加する必要があった。
【考案が解決しようとする課題】
【０００３】  クリアホルダー単体では期待される広告効果、販促効果に限度があり、クリアホルダーを長い期間に渡り消費者に認識させることは難しかった。従って、あらかじめＰＯＰ要素、またはノベルティー要素を含んだ付録部分をクリアホルダーに付加することにより、クリアホルダーの販促、広告効果を高め前述の欠点を解決しようとする物である。
【課題を解決するための手段】
【０００４】  本考案は、クリアホルダーとして使用できるだけでなく、任意の形状に加工できる付録部分を切り離して、またはクリアホルダーに付属したままの状態で使用出来ることで、販促効果、広告効果を高め、ノベルティー商品としての効果を向上させることができる。
更に付録付きクリアホルダーの材料シートの素材を再生樹脂材料もしくはトウモロコシ等から製造されるＰＬＡ《ポリ乳酸》を主原料としたプラスチック材料を使用して環境に配慮した商品として作成することができる。
【考案の効果】
【０００５】  本考案は、表裏一体のシートに印刷されることによってクリアホルダーを宣伝広告物として使用することが可能である。
更に、シート材料を再生樹脂材料もしくはトウモロコシ等から製造されるＰＬＡ《ポリ乳酸》を主原料としたプラスチック材料を使用することにより、より環境に優しい商品を作成することができる。
【考案を実施するための最良の形態】
【０００６】図１は本考案のふろく付きクリアホルダー（Ｆ）の視図である。図１でふろく付きクリアホルダー（Ｆ）の左辺（ａ）は山折になっており、底辺（ｂ）は圧着されている。そのため左辺（ａ）と底辺（ｂ）は閉じた状態になっている。上辺（ｄ）と右辺（ｃ）は開口しているため、ここから書類等を出し入れすることができる。右辺（ｃ）に付いている部位が付録部（Ｓ）であり、右辺（ｃ）とはミシン目（２）で付いている。
ふろく付きクリアホルダーの表面（１）には任意の絵柄が印刷されており、右辺（ｃ）についているふろく部（Ｓ）にはクリアホルダーの表面（１）に施された任意の絵柄と関連性の深い形状にあらかじめトムソン加工により折り加工、抜き加工が施されている。
このふろく付きクリアホルダー（Ｆ）の材料はシートの素材が光透過性を有する再生樹脂材料もしくはトウモロコシ等から製造されるＰＬＡ《ポリ乳酸》を主原料としたプラスチック材料を使用して環境に優しい商品として作成することもできる。環境に優しい商品として使用する場合、宣伝広告効果を更に高めることができる。
【図面の簡単な説明】
【図１】    本考案の印刷物であるふろく付きクリアホルダー視図。
【図２】    図１のふろく付きクリアホルダーの展開図
【符号の説明】
Ｆ  ふろく付きクリアホルダー
Ｓ  ふろく部
１  ふろく付きクリアホルダーの表面
２  ミシン目
ａ    左辺
ｂ    下辺
ｃ    右辺
ｄ    上辺
【図１】
0003138189.tif 000003
【図２】
0003138189.tif 000004
【手続補正書】
【提出日】平成19年9月18日(2007.9.18)
【手続補正１】
【補正対象書類名】実用新案登録請求の範囲
【補正対象項目名】全文
【補正方法】変更
【補正の内容】
【実用新案登録請求の範囲】
【請求項１】
クリアホルダーの一辺に、クリアホルダー本体と同じ素材でミシン目加工を施すことで本体と繋がっている付録部分を設け、その付録部分に抜きまたは折りの加工の組み合わせを施すことによりクリアホルダーに印刷によって施された任意の絵柄、広告内容を補足する機能を持つふろく付きクリアホルダー
【請求項２】
前記付録部分は、クリアホルダー本体に印刷によって施された絵柄と関連性の深い任意の形状を有し、付録部分の面積も本体の絵柄との関連性により変動することを特徴とする請求項１に記載のふろく付きクリアホルダー。